(57)【要約】【課題】  組立て時の基板ケースに対するシールド板の取り付けを容易にできると共に、基板ケースの組立て後はシールド板の取り外しを困難にでき、しかもリサイクル等に際しての分解時にはシールド板の取り外しを容易にできるようにする。【解決手段】  回路基板２８の両側の第１ケース体４０と第２ケース体４１とを結合して成る基板ケース２９内に回路基板２８を格納し、一方のケース体４０の両端部に、一方のケース体４０の外側に装着されるシールド板３６が係脱自在に係合するための係合部７１，７４を備え、両ケース体４０，４１を結合したときに、各係合部７１，７４に係合したシールド板３６の離脱を阻止するための阻止部６９，８９を他方のケース体４１に設ける。【選択図】  図６
2011019803.tif 000002
【特許請求の範囲】
【請求項１】
回路基板（２８）の両側の第１ケース体（４０）と第２ケース体（４１）とを結合して成る基板ケース（２９）内に前記回路基板（２８）を格納した遊技機において、前記一方のケース体（４０）の両端部に、該一方の前記ケース体（４０）の外側に装着されるシールド板（３６）が係脱自在に係合するための係合部（７１，７４）を備え、前記両ケース体（４０，４１）を結合したときに、前記各係合部（７１，７４）に係合した前記シールド板（３６）の離脱を阻止するための阻止部（６９，８９）を前記他方のケース体（４１）に設けたことを特徴とする遊技機。
【請求項２】
前記両係合部（７１，７４）は一方の前記係合部（７１）が前記シールド板（３６）に係合した後に他方の前記係合部（７４）が前記シールド板（３６）に係合可能であって、該他方の係合部（７４）が前記シールド板（３６）に係合したときに前記一方の係合部（７１）が前記シールド板（３６）から離脱不能であり、前記阻止部（６９）は前記他方の係合部（７４）からの前記シールド板（３６）の離脱を阻止することを特徴とする請求項１に記載の遊技機。
【請求項３】
前記各係合部（７１，７４）は他の前記係合部（７１，７４）の前記シールド板（３６）に対する係合の有無に関係なく前記シールド板（３６）に係脱自在であり、該各係合部（７１，７４）に対応して前記阻止部（６９，８９）を設けたことを特徴とする請求項１に記載の遊技機。
【請求項４】
前記阻止部（６９）は前記シールド板（３６）の端部側を押えて解除方向への弾性変形を阻止することを特徴とする請求項１〜３の何れかに記載の遊技機。
【請求項５】
前記一方のケース体（４０）は前記回路基板（２８）の外周側に屈曲する屈曲壁部（５４）を、前記シールド板（３６）は前記屈曲壁部（５４）の外側に屈曲する屈曲部（７３）を夫々有し、前記両係合部（７１，７４）の内、少なくとも一方の係合部（７４）は前記屈曲壁部（５４）に形成され、且つ前記屈曲部（７３）に形成された被係合部（７５）に係脱自在であることを特徴とする請求項１〜４の何れかに記載の遊技機。
【請求項６】
前記他方のケース体（４１）は前記一方のケース体（４０）に外嵌する外嵌周壁部（４７）を有し、該外嵌周壁部（４７）の一部が前記阻止部（６９，８９）であることを特徴とする請求項１〜５の何れかに記載の遊技機。
【請求項７】
他方の前記係合部（７１）は前記一方のケース体（４０）の前記一方の係合部（７４）と反対側に鉤形突起状に形成され、且つ前記シールド板（３６）に沿って外方に突出する突出部（７２）に形成された孔状の被係合部（７０）に係脱自在に係合することを特徴とする請求項５に記載の遊技機。
【発明の詳細な説明】
【技術分野】
【０００１】
本発明は、パチンコ機、スロットマシン等の遊技機、取り分け基板ケースに対するシールド板の固定構造に関するものである。
【背景技術】
【０００２】
パチンコ機等の弾球遊技機では、遊技盤の遊技領域の中央部に画像表示手段を装着すると共に、画像表示手段の周辺に図柄始動手段、大入賞手段、普通入賞手段等の遊技部品が配置されている。画像表示手段は遊技盤に装着されたセンターケースと、このセンターケースの裏面に装着された液晶表示ユニットとを備え、液晶表示ユニットには裏面側に、そのバックライトを高周波点灯させるためのインバータ基板が設けられている。
【０００３】
遊技盤の裏面には、画像表示手段その他の遊技部品を裏側から覆う裏カバーと、入賞手段に入賞して遊技盤の裏側に誘導された遊技球を集めて機外へと下方に案内する集球ケースとが上下に装着されている。
【０００４】
集球ケースの裏面には、主制御基板が格納された主制御基板ケースが装着されている。裏カバーの裏面には、液晶制御基板が格納された液晶制御基板ケースと、演出制御基板が格納された演出制御基板ケースと、各制御基板と各遊技部品等との接続用のハーネスを中継する中継基板とが左右方向に配置されている。
【０００５】
主基板ケースの前面には、集球ケース内を通過する遊技球相互間の静電気によるノイズを遮蔽するためにシールド板が設けられている。また演出制御基板ケース、液晶制御基板ケースの前面には、バックライトを高周波点灯時のインバータ基板からのノイズを遮蔽するためにシールド板が装着されている。
【０００６】
各基板ケースにシールド板を装着するに際しては、シールド板を基板ケースの前面の周壁部内に挿入した後、シールド板を基板ケースの前面の装着面に沿って一方向に摺動させて、その摺動方向と直交する方向の二辺の係合手段によりシールド板を基板ケースに固定するもの（特許文献１）と、シールド板を基板ケースの前面の装着面に沿って一方向に摺動させて、その摺動方向の前側とその両側との三辺の係合手段と、装着面の中央部分の係合手段とによりシールド板を基板ケースに固定し、他の一辺の周壁部によりシールド板の戻りを規制するようにしたもの（特許文献２）とがある。
【先行技術文献】
【特許文献】
【０００７】
【特許文献１】特許第３８４９２９４号公報
【特許文献２】特開２００５−３２２号公報
【発明の概要】
【発明が解決しようとする課題】
【０００８】
このように基板ケースにシールド板を予め装着しておけば、裏カバー等の所定箇所に基板ケースを着脱する場合にもその取り扱いが容易であり、またノイズを確実に遮蔽することができる。
【０００９】
基板ケースをノイズの問題が生じない箇所に配置する場合には、シールド板は不要である。従って、シールド板を必要とする箇所と必要としない箇所との何れにも使用できるように基板ケースの共通化を図る場合には、基板ケースはシールド板の有無の何れに対しても無駄のない効率的な構造であることが望ましい。
【００１０】
またシールド板が装着された基板ケースの場合にも、組立て工程での基板ケースに対するシールド板の取り付けが容易であること、基板ケースの組み立て完了後は基板ケースからのシールド板の取り外しが困難であること、リサイクル等で基板ケースを分解する場合には、基板ケースからのシールド板の取り外しが容易であることが望ましい。
【００１１】
この点から従来の基板ケースに対するシールド板の装着構造を見た場合、基板ケースの装着面の外周部分に周壁部が不可欠である上に、その周壁部の二辺に対応して係合手段を設ける必要があって、シールド板を必要としない基板ケースからすれば無駄な構造部分が多く効率的とはいい難いものとなっている。
【００１２】
また組立て時にはシールド板を周壁部内に嵌め込んだ後、装着面に沿ってシールド板を摺動させ係合手段を係合させる必要があるため、基板ケースに対するシールド板の種類によってはその取り付けが困難である。しかもシールド板は周壁部内に嵌め込んで基板ケースの片面でのみ固定しているため、基板ケースの組み立て後でも、基板ケースからのシールド板を容易に取り外し得るという欠点がある。
【００１３】
本発明は、このような従来の問題点に鑑み、組立て時の基板ケースに対するシールド板の取り付けを容易にできると共に、基板ケースの組立て後はシールド板の取り外しを困難にでき、しかもリサイクル等に際しての分解時にはシールド板の取り外しを容易にできる遊技機を提供することを目的とする。
【課題を解決するための手段】
【００１４】
本発明は、回路基板２８の両側の第１ケース体４０と第２ケース体４１とを結合して成る基板ケース２９内に前記回路基板２８を格納した遊技機において、前記一方のケース体４０の両端部に、該一方の前記ケース体４０の外側に装着されるシールド板３６が係脱自在に係合するための係合部７１，７４を備え、前記両ケース体４０，４１を結合したときに、前記各係合部７１，７４に係合した前記シールド板３６の離脱を阻止するための阻止部６９，８９を前記他方のケース体４１に設けたものである。
【発明の効果】
【００１５】
本発明によれば、組立て時の基板ケース２９に対するシールド板３６の取り付けを容易にできると共に、基板ケース２９の組立て後はシールド板３６の取り外しを困難にでき、しかもリサイクル等に際しての分解時にはシールド板３６の取り外しを容易にできる利点がある。
【図面の簡単な説明】
【００１６】
【図１】本発明の第１の実施形態を示すパチンコ機の正面図である。
【図２】同遊技盤の背面図である。
【図３】同遊技盤の演出制御基板ケース部分の断面図である。
【図４】同演出制御基板ケースの正面図である。
【図５】同演出制御基板ケースの平面図である。
【図６】同演出制御基板ケースの分解斜視図である。
【図７】同演出制御基板ケースの上側要部の断面図である。
【図８】同演出制御基板ケースの下側要部の断面図である。
【図９】同演出制御基板ケースの上側要部の断面図である。
【図１０】同演出制御基板ケースの下側要部の断面図である。
【図１１】本発明の第２の実施形態を示す演出制御基板ケースの断面図である。
【図１２】同シールド板の斜視図である。
【図１３】本発明の第３の実施形態を示す演出制御基板ケースの断面図である。
【図１４】同シールド板の斜視図である。
【図１５】本発明の第４の実施形態を示す演出制御基板ケースの断面図である。
【図１６】同シールド板の斜視図である。
【図１７】本発明の第５の実施形態を示す演出制御基板ケース上部の断面図である。
【図１８】同演出制御基板ケース上部の断面図である。
【図１９】本発明の第６の実施形態を示す演出制御基板ケースの断面図である。
【図２０】同演出制御基板ケースの一部破断正面図である。
【図２１】同演出制御基板ケース上部の断面図である。
【発明を実施するための形態】
【００１７】
以下、本発明の実施形態を図面に基づいて詳述する。図１〜図１０はパチンコ機に具現化した本発明の第１の実施形態を例示する。図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１８】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、発射用の遊技球を貯留する貯留皿８と、発射手段（図示省略）を作動させるための発射ハンドル９等が前面に設けられている。なお、発射手段は発射ハンドル９を操作したときに貯留皿８から供給される遊技球を遊技盤５側へと発射するようになっている。
【００１９】
遊技盤５の前側には、発射手段により発射された遊技球を案内するガイドレール１０が環状に装着されると共に、そのガイドレール１０内の遊技領域１２には、画像表示手段１３を備えたセンターケース１４、通過ゲート１５、開閉式入賞手段１６、大入賞手段１７、普通入賞手段１８等の各種遊技部品が装着されている。なお、画像表示手段１３は遊技球の検出を条件に所定時間変動して停止する１個又は複数個の識別図柄１９とその背景画像等、ゲームに必要な遊技画像を表示するためのものであって、液晶表示ユニット２０を有し、その液晶表示ユニット２０の裏側にはインバータ基板２１が装着されている（図３参照）。
【００２０】
遊技盤５の裏側には、図２に示すように、センターケース１４等の遊技部品を後側から覆う裏カバー２４と集球ケース２５とが上下に配置されている。例えば、集球ケース２５の裏面側に主制御基板２６が格納された主制御基板ケース２７が着脱自在に装着され、また裏カバー２４の裏面側に演出制御基板２８が格納された演出制御基板ケース２９と、画像制御基板３０が格納された画像制御基板ケース３１と、中継基板３２とが着脱自在に装着されている。
【００２１】
なお、主制御基板２６はゲーム中の全体の遊技動作を統括的に制御し、また画像制御基板３０は画像表示手段１３に表示される画像を制御し、更に演出制御基板２８は画像表示手段１３の周辺に配置された可動演出手段（図示省略）の演出動作、遊技盤５側その他の演出ランプの演出発光、スピーカの効果音等を制御するようになっている。
【００２２】
集球ケース２５は、開閉式入賞手段１６、大入賞手段１７、普通入賞手段１８等に入賞して遊技盤５の裏側に案内された遊技球を集めて排出口から回収通路（図示省略）側へと案内するためのもので、裏カバー２４の下側に近接して配置され、遊技盤５の裏側に着脱自在に固定されている。
【００２３】
集球ケース２５の裏面側には、主制御基板ケース２７の側方に盤側ジョイント部３４が設けられている。盤側ジョイント部３４は上下方向に複数個の盤側コネクタ３５を有し、遊技盤５を前枠３側に装着したときに前枠３側の枠側ジョイント部（図示省略）の前側に対向してその盤側コネクタ３５が枠側ジョイント部の各枠側コネクタ（図示省略）に着脱自在に接続する。
【００２４】
主制御基板ケース２７、演出制御基板ケース２９、画像制御基板ケース３１の前面には、例えば図３〜図１０に演出制御基板ケース２９側を例示するようにシールド板３６が配置され、集球ケース２５内の遊技球相互間の静電気により発生するノイズ、インバータ基板２１から発生するノイズ（何れも電磁波）等を遮蔽するようになっている。
【００２５】
演出制御基板２８は図２、図３に示すように上下方向に長い矩形状であって、その一面側（裏面側）には中央寄りにＣＰＵ，ＲＯＭ，ＲＡＭ等の電子部品３７が配置され、また外縁部近傍には１個又は複数個のコネクタ３８が装着されている。
【００２６】
演出制御基板ケース２９は図３〜図６に示すように、透明又は不透明な合成樹脂材により成形された第１ケース体４０と第２ケース体４１とを備え、これらのケース体４０，４１をケース結合手段４２，４３により結合して構成され、裏カバー２４の裏面側に係止手段４４とロック手段４５とにより着脱自在に装着されている。ケース結合手段４２，４３は演出制御基板ケース２９の一端側に設けられた一対のケース係合手段４２と、他端側に設けられた一対のケース封止手段４３とにより構成されている。
【００２７】
第２ケース体４１は演出制御基板２８の電子部品３７側に対向する膨出部４６と、その外周側の外嵌周壁部４７とを一体に有し、膨出部４６の背壁側から第１ケース体４０側に突出する複数個の取り付けボス４８等を介して演出制御基板２８が固定されている。
【００２８】
第１ケース体４０は図３〜図６に示すように偏平な底壁４９と、この底壁４９の外周から第２ケース体４１側に突出し且つ第２ケース体４１の外嵌周壁部４７内に内嵌する内嵌周壁部５０と、底壁４９の第２ケース体４１側に縦横に形成され且つ演出制御基板２８に当接する補強リブ５１とを備え、裏面側の左右両側にはシールド板３６よりも若干突出する突縁５２が設けられている。
【００２９】
なお、底壁４９は裏カバー２４に装着したときにその前側に近接する液晶表示ユニット２０の裏面側に合わせて段部５３の上下で段違い状になっているが、段部５３のない平坦状でもよい。
【００３０】
ケース係合手段４２は図４〜図６、図９に示すように、両ケース体４０，４１の周壁部４７，５０の上部壁５４，５６に跨がって左右両側に配置されており、第１ケース体４０の上部壁５４の上側に設けられた被係合部５５と、第２ケース体４１の上部壁５６に設けられ且つ被係合部５５に係脱自在に係合する係合部５７とを備えている。
【００３１】
被係合部５５は棒状であって、上壁部５４との間に所定の間隔を置いて両端の取り付け部により上部壁５４に支持されている。係合部５７は上部壁５６から第１ケース体４０側に突出して上側に屈曲する爪状であって、第１ケース体４０の上部壁５４との間から挿入して被係合部５５に係合するようになっている。なお、被係合部５５、係合部５７は各ケース体４０，４１に別々に設けられて係脱自在に係合するものであれば十分であり、その形状、構造等は別段問題ではない。
【００３２】
ケース封止手段４３は図４、図６、図１０に示すように、両ケース体４０，４１の周壁部４７，５０の下部壁６２，６３に跨がって左右両側に配置されており、両ケース体４０，４１を閉じたときに互いに係合する係合部５８及び被係合部５９と、この係合部５８及び被係合部５９を各ケース体４０，４１に一体に連結し且つ係合部５８及び被係合部５９を外部から解除不能に保護する保護壁６０，６１とを有する。
【００３３】
第１ケース体４０にはその下部壁６２から下側に突出する保護壁６０と、この保護壁６０から下部壁６２と略平行に第２ケース体４１側に突出する突起状の係合部５８とが設けられている。第２ケース体４１にはその下部壁６３の下側に突出する保護壁６１と、この保護壁６１に設けられ且つ係合部５８が係合する孔状の被係合部５９とが設けられている。
【００３４】
保護壁６０の基部側には切断部６４が設けられている。切断部６４はリサイクル等で演出制御基板ケース２９を分解する際に工具、その他の適宜手段により切断して、ケース封止手段４３による両ケース体４０，４１の封止を解除するためのものであり、保護壁６０を下部壁６２に連結するように、保護壁６０の基部に１個又は複数個の切断部６４が設けられている。
【００３５】
なお、係合部５８、被係合部５９は各ケース体４０，４１に別々に設けられて、両ケース体４０，４１を閉じたときに互いに係合するものであれば十分であり、その形状、構造等は別段問題ではない。また保護壁６０，６１はケース封止手段４３の係合部５８、被係合部５９を外側から離脱操作できないように保護する構造であればよく、その保護壁６０，６１の形状、構造等は別段問題ではない。
【００３６】
シールド板３６は第１ケース体４０の前面側をシールドするためのもので、例えば図４、図６に示すように第１ケース体４０の前面の略全体に対応する大きさの板金材により構成されており、長手方向の両端部の第１係合手段６６と第２係合手段６７とを介して第１ケース体４０の底壁４９の前面側の装着面６８に着脱自在に装着されている。なお、シールド板３６は多数の孔が形成された多孔板金材でも良いし、金属網により構成しても良い。
【００３７】
第１係合手段６６は図４〜図７に示すように両ケース係合手段４２間に配置され、第２係合手段６７は図４、図６、図８に示すように両ケース封止手段４３間に配置されている。この第１係合手段６６と第２係合手段６７は、第２係合手段６７が係合した後に第１係合手段６６が係合し、且つ第１係合手段６６が係合したときに第２係合手段６７が離脱不能な関係にあり、また両ケース体４０，４１をケース結合手段４２，４３により結合したときには、第２ケース体４１の外嵌周壁部４７の一部である解除阻止部６９により第１係合手段６６の解除を阻止することによって、両係合手段６６，６７が解除不能に保持されている。
【００３８】
第２係合手段６７は図４、図６、図８に示すように両ケース封止手段４３間でシールド板３６の端部に形成された孔状の被係合部７０と、第１ケース体４０の装着面６８から前側に突出し且つ第１係合手段６６と反対側に屈曲する鉤形突起状の係合部７１とを有し、係合部７１を被係合部７０に挿通して両者を係脱自在に係合するようになっている。シールド板３６はその板面に沿って第１係合手段６６と反対側に突出する突出部７２を有し、この突出部７２に被係合部７０が設けられているが、この突出部７２は省いてもよい。
【００３９】
第１ケース体４０は図３〜図６、図７に示すように、演出制御基板２８の外側で第２ケース体４１側に屈曲する上部壁５４を、シールド板３６は上部壁５４の外側に屈曲する屈曲部７３を夫々有し、この上部壁５４と屈曲部７３とに跨がって第１係合手段６６が設けられている。なお、上部壁５４により、演出制御基板２８の外側で第２ケース体４１側に屈曲する屈曲壁部が構成されている。
【００４０】
この第１係合手段６６は図４〜図６、図７に示すように、上部壁５４に形成された突起状の係合部７４と、屈曲部７３に孔状に形成され且つ屈曲部７３の弾性変形により係合部７４に係脱自在に係合する被係合部７５とを有する。屈曲部７３はシールド板３６から第２係合手段６７と反対側に突出する突出部７６の途中をＬ字状に折り曲げて形成されている。係合部７４はシールド板３６の端部を案内する傾斜案内部７７を有する。シールド板３６の屈曲部７３は第１ケース体４０の装着面６８及び上部壁５４に沿って略面接触状に当接している。
【００４１】
解除阻止部６９は第２ケース体４１の外嵌周壁部４７の上部壁５６側の一部を利用して構成され、両ケース体４０，４１をケース結合手段４２，４３により閉状態で結合したときに、内嵌周壁部５０に外嵌する外嵌周壁部４７が屈曲部７３の先端側に近接して、屈曲部７３が離脱方向に弾性変形しないように押えている。
【００４２】
係止手段４４は、図３、図６に示すように、演出制御基板ケース２９の装着位置の上側で裏カバー２４に設けられた係止片７９と、第１ケース体４０の上部壁５４上に設けられ且つ係止片７９に上側から係脱自在に係止される左右一対の係止ピン８０とを有する。
【００４３】
ロック手段４５は図３に示すように、第１ケース体４０の下部壁６２から下側に突出する突出部８２と、演出制御基板ケース２９の装着位置の下側で裏カバー２４に設けられ且つ左右方向に摺動させて突出部８２を裏カバー２４側にロックするロック体８３とを有する。
【００４４】
なお、演出制御基板ケース２９には、組立て後に第１ケース体４０の底壁４９から第２ケース体４１の左右の側部壁８４に跨がって封印シールを貼付するように、第１ケース体４０の底壁４９に左右一対のシール貼付部８５が設けられており、このシール貼付部８５に対応してシールド板３６に切り欠き部８６が形成されている。
【００４５】
画像制御基板ケース３１自体も、演出制御基板ケース２９側と略同様の構成であり、また同様にしてシールド板３６が装着されている。
【００４６】
この実施形態では、次のような利点がある。即ち、演出制御基板ケース２９側の組み立てに際しては、第２ケース体４１内の取り付けボス４８に演出制御基板２８を固定する一方、第１ケース体４０の装着面６８にシールド板３６を装着し、その後に両ケース体４０，４１をケース結合手段４２，４３により閉状態で結合して、内部に演出制御基板２８が格納され且つ第１ケース体４０の装着面６８にシールド板３６が装着された演出制御基板ケース２９を組み立てる。
【００４７】
シールド板３６の装着時には、その両端の第１係合手段６６、第２係合手段６７のうち先ず第２係合手段６７を係合し、次いで第１係合手段６６を係合することにより、シールド板３６を第１ケース体４０に装着する。
【００４８】
第２係合手段６７では、シールド板３６の孔状の被係合部７０に第１ケース体４０の突起状の係合部７１を通して両者を係合する。次にシールド板３６を第１ケース体４０の装着面６８に沿わせた後、その屈曲部７３側を第１ケース体４０の上部壁５４に沿って第１ケース体４０側に押圧すると、屈曲部７３が突起状の係合部７４の傾斜案内部７７により案内されながら外側へと弾性変形する。
【００４９】
そして、屈曲部７３の先端側が突起状の係合部７４を通過して、その係合部７４が孔状の被係合部７５に対応したときに、屈曲部７３が弾性により上部壁５４側に復帰して係合部７４と被係合部７５とが係合する。これによってシールド板３６を第１ケース体４０の装着面６８に沿って固定することができる。
【００５０】
次に第２ケース体４１の係合部５７を第１ケース体４０の被係合部５５に挿入して、第１ケース体４０と第２ケース体４１との一端側をケース係合手段４２により係合した後、このケース係合手段４２を支点として両ケース体４０，４１を相対的に閉方向に回動させて嵌合部４７，５０同士を嵌合させて行く。すると他端側のケース封止手段４３の第１ケース体４０の係合部５８が第２ケース体４１の被係合部５９に係合し、この両ケース体４０，４１を閉状態で封止できる。ケース封止手段４３は保護壁６０，６１で外部から覆われており、このケース封止手段４３を外部から操作して解除することはできない。
【００５１】
このようにして第１ケース体４０の装着面６８にシールド板３６を装着した後、両ケース体４０，４１をケース結合手段４２，４３により結合して演出制御基板ケース２９の組み立てを行うが、シールド板３６はその両端の係合手段６６，６７を係合させて第１ケース体４０に装着すれば良いので、シールド板３６があるにも拘わらず演出制御基板ケース２９側の組み立てを容易に行うことができる。
【００５２】
また演出制御基板ケース２９を組み立てた状態では、第２ケース体４１の外嵌周壁部４７内に第１ケース体４０の内嵌周壁部５０が内嵌しており、その外嵌周壁部４７の上部壁５６の一部により構成された解除阻止部６９がシールド板３６の屈曲部７３の先端側を外側から覆った状態にある。
【００５３】
このため第１係合手段６６の係合を解除するためには、シールド板３６の屈曲部７３を離脱方向に外側へと弾性変形させる必要があるが、屈曲部７３はその外側の解除阻止部６９により弾性変形が阻止されているので、組立て後にシールド板３６を取り外すことは困難である。従って、演出制御基板ケース２９の取り扱い中にシールド板３６が不測に脱落したり、シールド板３６を不正に取り外されたりすることはない。
【００５４】
リサイクル等で演出制御基板ケース２９を分解する場合には、一対のケース封止手段４３の保護壁６０の基部側に設けられた切断部６４を工具等により適宜切断する。すると係合部５８が第２ケース体４１側の被係合部５９に係合した状態のままで第１ケース体４０から分離されるので、ケース封止手段４３による封止を解除でき、次いでケース係合手段４２の係合を解除すれば、第１ケース体４０と第２ケース体４１とを分離することができる。そして、屈曲部７３を離脱方向へと外側に弾性変形させれば第１係合手段６６の係合を解除できるので、その後、第２係合手段６７の係合を解除することにより、シールド板３６を第１ケース体４０から容易に取り外すことができる。
【００５５】
図１１及び図１２は本発明の第２の実施形態を例示する。この実施形態では、第２係合手段６７は、第１ケース体４０の下部壁６２の第２ケース体４１側の端部に形成された係合部７１と、シールド板３６の下部から下部壁６２の外側へと屈曲する屈曲部８８と、この屈曲部８８の先端から内側へとコの字状に屈曲形成された被係合部７０とを有する。
【００５６】
被係合部７０は両ケース体４０，４１を閉状態で結合したときに、第２ケース体４１の下部壁６３の端面が当接又は近接して、係合部７１から外れないように保持している。従って、第２ケース体４１の下部壁６３の端面側が第２係合手段６７の解除を阻止する解除阻止部８９として機能する。なお、図１１に二点鎖線で示すように下部壁６３を第２係合手段６７の外側に配置しても良い。他の構成は第１の実施形態と同様である。
【００５７】
この場合にも、第１ケース体４０にシールド板３６を装着する際には、先ず第２係合手段６７側を係合し、次いで第１係合手段６６側を係合することになり、第１の実施形態と同様の作用効果を得ることができる。従って、第２係合手段６７は必ずしも装着面６８側に配置する必要はない。また下部壁６３を利用する解除阻止部８９は、シールド板３６の屈曲部７３を下側から覆い、その覆い部分で屈曲部７３を押えるようにしても良い。
【００５８】
図１３、図１４は本発明の第３の実施形態を例示する。この実施形態では、第１係合手段６６はシールド板３６の屈曲部７３に形成された被係合部７５と、第１ケース体４０の上部壁５４の孔状又は凹状の係合部７４とを備え、被係合部７５は屈曲部７３に内側の上部壁５４に向けて切り起こし状に設けられている。
【００５９】
第２係合手段６７は第１ケース体４０の底壁４９の下端に設けられた係合部７１と、シールド板３６に屈曲状に設けられた係合部７２とを備えている。係合部７２は下部壁６２の底壁４９側の近傍に形成された挿通孔又は挿入凹部７１ａに挿入されている。他の構成は第１の実施形態と同様である。
【００６０】
このような構成の場合にも、先ず第２係合手段６７側を係合し、次いで第１係合手段６６側を係合することにより、シールド板３６を第１ケース体４０に装着することができる。
【００６１】
図１５及び図１６は本発明の第４の実施形態を例示する。この実施形態では、第１ケース体４０の上下両側に上部壁５４及び下部壁６２が、シールド板３６の上下両側に屈曲部７３，９０が夫々設けられ、その上側の上部壁５４及び屈曲部７３に第１係合手段６６の係合部７４及び被係合部７５が、下側の下部壁６３及び屈曲部９０に第２係合手段６７の被係合部９１及び係合部９２が夫々設けられている。
【００６２】
第１係合手段６６、第２係合手段６７は、第１の実施形態の第１係合手段６６と略同様の構成であって、第１係合手段６６と第２係合手段６７との何れからも係脱自在であり、また一方の係合手段６６，６７の係合に関係なく他方を係脱することが可能である。そして、この各係合手段６６，６７は演出制御基板２８を格納した状態で両ケース体４０，４１を結合したときに、その各屈曲部７３の先端側が第２ケース体４１の外嵌周壁部４７の上部壁５４、下部壁６２である解除阻止部６９，８９により覆われている。つまり、シールド板３６の各屈曲部７３，９０の先端側が第２ケース体４１の外嵌周壁部４７の解除阻止部６９，８９により押えられている。他の構成は、第１の実施形態と同様である。
【００６３】
この場合には、第１ケース体４０にシールド板３６を装着する際に、第１係合手段６６、第２係合手段６７の何れから先に係合しても良いし、シールド板３６の両屈曲部７３，９０の先端を第１ケース体４０の上部壁５４、下部壁６２の外側面に合わせた後、シールド板３６を第１ケース体４０側に押圧して、第１係合手段６６と第２係合手段６７とを略同時に係合させても良い。
【００６４】
このように第１係合手段６６と、第２係合手段６７とを略対称に構成し、その各係合手段６６，６７に対応して第２ケース体４１の外嵌周壁部４７に解除阻止部６９，８９を設けることによっても、第１の実施形態と同様にシールド板３６を容易に装着できると共に、演出制御基板ケース２９の組み立てが容易であり、また組み立て後のシールド板３６の取り外しを困難にでき、更には演出制御基板ケース２９の分解も容易にできる。
【００６５】
図１７、図１８は本発明の第５の実施形態を例示する。第２ケース体４１の外嵌周壁部４７の一部を利用して設けられる解除阻止部６９は、図１７、図１８に示すように、第１係合手段６６の係合部７４、被係合部７５を覆う構造としても良い。つまり、解除阻止部６９はシールド板３６の屈曲部７３を覆う他、第１係合手段６６の略全体を覆うようにしても良い。
【００６６】
この場合、図１７に示すように平坦な上部壁５６により解除阻止部６９を構成しても良いし、図１８に示すように上部壁５６に段部６９ａを設ける等して解除阻止部６９を凸状に構成しても良い。このようにすれば、組み立て後の第１係合手段６６の解除を解除阻止部６９により未然に防止できる。
【００６７】
なお、第１係合手段６６、第２係合手段６７が第２の実施形態のような構造の場合にも、その各係合手段６６，６７を覆うように解除阻止部６９を設けても良い。
【００６８】
図１９〜図２１は本発明の第６の実施形態を例示する。この実施形態の演出制御基板ケース２９は、図１９、図２０に示すように演出制御基板２８の板厚方向の両側に配置された第１ケース体４０及び第２ケース体４１を備え、この両ケース体４０，４１を備えた演出制御基板２８の板面方向に相対摺動させてケース結合手段４２，４３により閉状態に結合するようになっている。
【００６９】
第２ケース体４１には上部壁５６の先端から下方に屈曲して壁状の解除阻止部６９が設けられている。またケース係合手段４２は、解除阻止部６９の近傍で第２ケース体４１の上部壁５６に形成された孔状の係合部５７と、第１ケース体４０の底壁４９の上端に形成され且つ解除阻止部６９に沿って係合部５７に係脱自在に係合する突起状の被係合部５５とを有する。
【００７０】
第１係合手段６６は第１ケース体４０の装着面６８に形成された突起状の係合部７４と、この係合部７４に対してシールド板３６の板厚方向に係脱自在な孔状の被係合部７５とを有する。ケース封止手段４３は両ケース体４０，４１をケース係合手段４２の係合方向に相対摺動させたときに、その係合部５８と被係合部５９とが係合して封止するように両ケース体４０，４１の内部に設けられ、切断部６４が第１ケース体４０の下部壁６２に設けられている。
【００７１】
なお、解除阻止部６９はケース結合手段４２，４３が係合したときに、図１９に示すように第１係合手段６６の略全体を覆う他、図２１に示すようにシールド板３６の端部を覆うようにしても良い。他の構成は第１の実施形態と同様である。
【００７２】
この場合にも、両ケース体４０，４１は演出制御基板２８の板厚方向の両側に配置されているが、演出制御基板２８の板面方向に操作して閉状態に結合することになるが、第２ケース体４１に解除阻止部６９を設けることによって、第１係合手段６６、第２係合手段６７を共に第１ケース体４０の装着面６８側に配置することも可能である。
【００７３】
なお、各実施形態には、次の各発明が包含されている。その第１は、回路基板２８の両側の第１ケース体４０と第２ケース体４１とを結合して成る基板ケース２９内に前記回路基板２８を格納し、一方の前記ケース体４０の外側にシールド板３６を装着した遊技機において、前記一方のケース体４０と前記シールド板３６との対応する両端部に、両者を係脱自在に係合させる係合手段６６，６７を備え、前記両ケース体４０，４１を結合したときに、前記各係合手段６６，６７の解除を阻止する解除阻止部６９，８９を前記他方のケース体４１に設けたものである。
【００７４】
第２は、前記第１において、前記両係合手段６６，６７は一方の前記係合手段６７が係合した後に他方の前記係合手段６６が係合可能であって、該他方の係合手段６６が係合したときに前記一方の係合手段６７が離脱不能であり、前記解除阻止部６９は前記他方の係合手段６６の解除を阻止するものである。
【００７５】
第３は、前記第１において、前記各係合手段６６，６７は他の前記係合手段６６の係合の有無に関係なく係脱自在であり、該各係合手段６６，６７に対応して前記解除阻止部６９，８９を設けたものである。
【００７６】
第４は、前記第１〜第３の何れかにおいて、前記解除阻止部６９は前記シールド板３６の端部側を押えて解除方向への弾性変形を阻止するものである。
【００７７】
第５は、前記第１〜第４の何れかにおいて、前記一方のケース体４０は前記回路基板２８の外周側に屈曲する屈曲壁部５４を、前記シールド板３６は前記屈曲壁部５４の外側に屈曲する屈曲部７３を夫々有し、前記両係合手段６６，６７の少なくとも一方の係合手段６６は前記屈曲壁部５４に形成された係合部７４と、前記屈曲部７３に形成され且つ前記係合部７４に係脱自在に係合する被係合部７５とを有するものである。
【００７８】
第６は、前記第１〜第５の何れかにおいて、前記他方のケース体４１は前記一方のケース体４０に外嵌する外嵌周壁部４７を有し、該外嵌周壁部４７の一部を前記解除阻止部６９，８９としたものである。
【００７９】
第７は、前記第５において、他方の前記係合手段６７は前記シールド板３６に沿って外方に突出する突出部７２に形成された孔状の被係合部７０と、前記一方のケース体４０に前記一方の係合手段６６と反対側に突出して形成され且つ前記被係合部７０が係脱自在に係合する係合部７１とを有するものである。
【００８０】
以上、本発明の実施形態について詳述したが、本発明はこれらの実施形態に限定されるものではなく、本発明の趣旨を逸脱しない範囲で種々の変更が可能である。例えば、各実施形態では、演出制御基板ケース２９の場合について例示したが、主制御基板ケース２７、画像制御基板ケース３１の場合にも同様に実施可能であるし、演出制御基板ケース２９、主制御基板ケース２７、画像制御基板ケース３１以外の各種の基板ケースにおいても同様に実施可能である。
【００８１】
更には電子部品３７が実装されてはいるものの制御機能を備えていない回路基板を格納する各種の基板ケースでも同様に実施可能である。また実施形態では本発明をパチンコ機に適用した場合を例示しているが、アレンジボール機、スロットマシン等の各種遊技機において同様に実施可能であることは云うまでもない。
【００８２】
基板ケース２８は回路基板２８の両側に配置された第１ケース体４０と第２ケース体４１とを結合して、その回路基板２８を格納するものであればよく、各ケース体４０，４１の個々の形状、構造等は別段問題ではない。また基板ケース２８はケース封止手段４３を備えたものでも良いし、両ケース体４０，４１をネジで結合するだけであって、ケース封止手段４３等を備えていないものでも良い。
【００８３】
解除阻止部６９は両ケース体４０，４１を閉状態で結合したときに、係合手段の解除を阻止するものであれば、その解除阻止部６９で係合手段の解除を直接阻止するものでも良いし、間接的に阻止するものでも良い。また解除阻止部６９はシールド板３６の屈曲部７３を直接押圧しても良いし、屈曲部７３に近接して配置しても良い。また本発明はパチンコ機等の弾球遊技機の他、スロットマシン等の各種の遊技機にも採用可能である。
【符号の説明】
【００８４】
２８  演出制御基板（回路基板）
２９  演出制御基板ケース（基板ケース）
３６  シールド板
４０  第１ケース体
４１  第２ケース体
４７  外嵌周壁部
５４  屈曲壁部
６６  第１係合手段
６７  第２係合手段
６９，８９  解除阻止部
７０  被係合部
７１  係合部
７２  突出部
７３  屈曲部
７４  係合部
７５  被係合部
【図１】
2011019803.tif 000003
【図２】
2011019803.tif 000004
【図３】
2011019803.tif 000005
【図４】
2011019803.tif 000006
【図５】
2011019803.tif 000007
【図６】
2011019803.tif 000008
【図７】
2011019803.tif 000009
【図８】
2011019803.tif 000010
【図９】
2011019803.tif 000011
【図１０】
2011019803.tif 000012
【図１１】
2011019803.tif 000013
【図１２】
2011019803.tif 000014
【図１３】
2011019803.tif 000015
【図１４】
2011019803.tif 000016
【図１５】
2011019803.tif 000017
【図１６】
2011019803.tif 000018
【図１７】
2011019803.tif 000019
【図１８】
2011019803.tif 000020
【図１９】
2011019803.tif 000021
【図２０】
2011019803.tif 000022
【図２１】
2011019803.tif 000023